(57)【要約】エレベータガバナアッセンブリに使用される機構が、グラウンド軸を中心に回転するように構成されたグラウンドと、該グラウンド軸から半径方向に離間した３つ以上のグラウンドピボット点の１つにおいて回動可能にグラウンドにそれぞれ取り付けられ、かつ周方向にオーバラップしている３つ以上のカムと、複数のリンクピボット点において回動可能に３つ以上のカムを互いに連結するための複数のリンクとを備える。周方向にオーバラップしているカムによって、グラウンド軸を中心とした実質的に連続した円形リングが形成される。グラウンド、カムおよびリンクを相互接続することによって、概ね円形の機構が形成される。
2010523437.tif 000002
【特許請求の範囲】
【請求項１】
グラウンド回転軸を中心に回転するように構成されたグラウンドと、
前記グラウンド回転軸を中心とした実質的に連続した円形リングを形成するように、前記グラウンド回転軸から半径方向に離間した３つ以上のグラウンドピボット点の１つにおいて回動可能に前記グラウンドにそれぞれ取り付けられ、かつ周方向にオーバラップしている３つ以上のカムと、
概ね円形の機構を形成するように、複数のリンクピボット点において回動可能に３つ以上のカムを互いに連結するための複数のリンクと、
を備えるエレベータガバナアッセンブリに使用される機構。
【請求項２】
前記３つ以上のカムは、実質的に同一形状であることを特徴とする請求項１に記載の機構。
【請求項３】
前記３つ以上のカムの各々は、該カムに取り付けられたフライウエイトをさらに備えることを特徴とする請求項２に記載の機構。
【請求項４】
前記概ね円形の機構は、角速度の関数として前記グラウンド回転軸を中心とした直径が増加するように構成されることを特徴とする請求項１に記載の機構。
【請求項５】
カプラをさらに備え、第１の速度より低いグラウンド角速度では、前記概ね円形の機構の前記グラウンド回転軸を中心とした直径が増加することを防止し、前記第１の速度以上の速度では、前記概ね円形の機構の前記グラウンド回転軸を中心とした直径が角速度の関数として増加することを許容するように、前記カプラが構成されていることを特徴とする請求項１に記載の機構。
【請求項６】
エレベータかごの速度に対応した速度でシーブ回転軸を中心に回転するように構成されたシーブと、
前記シーブ回転軸を中心とした実質的に連続した円形リングを形成するように、前記シーブ回転軸から半径方向に離間した３つの質量部ピボット点の１つにおいて回動可能に前記シーブにそれぞれ取り付けられ、かつ周方向にオーバラップしている３つの質量部と、
概ね円形の機構を形成するように、複数のリンクピボット点において回動可能に前記３つ質量部を互いに連結するための複数のリンクと、
を備えたエレベータガバナアッセンブリ。
【請求項７】
前記３つの質量部は、実質的に同一形状であることを特徴とする請求項６に記載のエレベータガバナアッセンブリ。
【請求項８】
前記３つの質量部の各々は、弓状質量部支持体と、該弓状質量部支持体に取り付けられた質量部とからなることを特徴とする請求項６に記載のエレベータガバナアッセンブリ。
【請求項９】
前記概ね円形の機構は、前記シーブ回転軸を中心とした直径が角速度の関数として増加するように構成されていることを特徴とする請求項６に記載のエレベータガバナアッセンブリ。
【請求項１０】
カプラをさらに備え、第１の速度より低いシーブ角速度では、前記概ね円形の機構の前記シーブ回転軸を中心とした直径が増加することを防止し、前記第１の速度以上の速度では、前記概ね円形の機構の前記シーブ回転軸を中心とした直径が角速度の関数として増加することを許容するように、前記カプラが構成されていることを特徴とする請求項６に記載のエレベータガバナアッセンブリ。
【請求項１１】
前記カプラは、前記周方向にオーバラップしている質量部の中の少なくとも２つの間に連結されたばねからなることを特徴とする請求項１０に記載のエレベータガバナアッセンブリ。
【請求項１２】
前記カプラは、前記３つの質量部の中の１つまたは複数の質量部と前記シーブとの間に連結された１つまたは複数のばねからなることを特徴とする請求項１０に記載のエレベータガバナアッセンブリ。
【請求項１３】
エレベータかごの速度に対応した速度でシーブ回転軸を中心に回転するように構成されたシーブと、
前記シーブ回転軸から半径方向に離間した３つの質量部ピボット点の１つにおいて回動可能に前記シーブにそれぞれ取り付けられた３つの質量部と、
を備え、
前記３つの質量部は、実質的に連続した円形機構を形成するように、リンクによって複数のリンクピボット点において回動可能に互いに連結され、前記実質的に連続した円形機構は、前記シーブ回転軸を中心とした直径が角速度の関数として増加するように構成されていることを特徴とするエレベータガバナアッセンブリ。
【請求項１４】
前記３つの質量部は、実質的に同一形状であることを特徴とする請求項１３に記載のエレベータガバナアッセンブリ。
【請求項１５】
前記３つの質量部の各々は、弓状質量部支持体と、該弓状質量部支持体に取り付けられた質量部とからなることを特徴とする請求項１３に記載のエレベータガバナアッセンブリ。
【請求項１６】
カプラをさらに備え、第１の速度より低いシーブ角速度では、前記実質的に連続した円形機構の前記シーブ回転軸を中心とした直径が増加することを防止し、前記第１の速度以上の速度では、前記概ね円形の機構の前記シーブ回転軸を中心とした直径が角速度の関数として増加することを許容するように、前記カプラが構成されていることを特徴とする請求項１３に記載のエレベータガバナアッセンブリ。
【請求項１７】
前記カプラは、前記３つの質量部の少なくとも２つの間に連結されたばねからなることを特徴とする請求項１６に記載のエレベータガバナアッセンブリ。
【請求項１８】
前記カプラは、前記３つの質量部の１つまたは複数の質量部と前記シーブとの間に連結された１つまたは複数のばねからなることを特徴とする請求項１６に記載のエレベータガバナアッセンブリ。
【請求項１９】
エレベータかごの速度に対応した速度でシーブ回転軸を中心に回転するように構成されたシーブと、
前記シーブ回転軸を中心とした実質的に連続した円形リングを形成するように、前記シーブ回転軸から半径方向に離間した３つの質量部ピボット点の１つにおいて回動可能に前記シーブにそれぞれ取り付けられ、かつ周方向にオーバラップしている３つの質量部と、
概ね円形の機構を形成するように、複数のリンクピボット点において回動可能に前記３つの質量部を互いに連結するための複数のリンクであって、前記概ね円形の機構は、前記シーブ回転軸を中心とした直径が角速度の関数として増加するように構成されている、複数のリンクと、
第１の速度より低いシーブ角速度では、前記概ね円形の機構の前記シーブ回転軸を中心とした直径が増加することを防止し、前記第１の速度以上の速度では、前記概ね円形の機構の前記シーブ回転軸を中心とした直径が角速度の関数として増加することを許容するように構成されたカプラと、
を備えたエレベータガバナアッセンブリ。
【請求項２０】
前記３つの質量部は、実質的に同一形状であることを特徴とする請求項１９に記載のエレベータガバナアッセンブリ。
【請求項２１】
前記３つの質量部の各々は、弓状質量部支持体と、該弓状質量部支持体に取り付けられた質量部とからなることを特徴とする請求項１９に記載のエレベータガバナアッセンブリ。
【請求項２２】
前記カプラは、前記周方向にオーバラップしている３つの質量部の少なくとも２つの間に連結されたばねからなることを特徴とする請求項１９に記載のエレベータガバナアッセンブリ。
【請求項２３】
前記カプラは、前記周方向にオーバラップしている３つの質量部の中の１つまたは複数の質量部と前記シーブとの間に連結された１つまたは複数のばねからなることを特徴とする請求項１９に記載のエレベータガバナアッセンブリ。
【発明の詳細な説明】
【技術分野】
【０００１】
本発明は、エレベータかごの速度を制御する装置に関し、特に、遠心作動ガバナに関する。
【背景技術】
【０００２】
エレベータを設計する際の一般的な課題は、エレベータの故障を防止するように、または故障に対処するように安全システムを設計することである。このような安全システムの１つは、ガバナである。エレベータのガバナは、設定された速度限界を超過してエレベータかごが移動することを防止するように設計されている。ガバナは、自動安全システムの構成要素であり、この構成要素は、設定された速度を超過してエレベータかごが移動するときに作動され、制御システムに信号を送信してかごを停止させるか、または直接に非常止め装置と係合してかごを停止させる。１つの周知のガバナは、遠心作動ガバナである。
【０００３】
エレベータシステムに使用される遠心ガバナの一般的な設計では、フライウエイトと呼ばれることもある２つの質量部が使用されており、これらの質量部は、対向する配置をとるようにリンクによって運動力学的に接続されており、共通の軸を中心に回転するトリッピングシーブにピン係合されている。このように相互に接続された部品によってガバナ機構が形成され、このガバナ機構は、シーブの角速度と等しい角速度で回転する。回転する質量部の角速度により生じる遠心力によって、これらの質量部は、シーブの回転軸から互いに離れて行こうとする。質量部は、シーブに対するピン係合部を中心に半径方向外側へと実質的に片持ち形式で移動する。カプラは、設定されたエレベータかご速度に達するまで、質量部の半径方向外側への移動を防止する。一般的に、カプラは、シーブと質量部の１つとの間に接続されたばねを備えており、このばねは、設定された速度に達するまで、回転するシーブの角速度により生じる遠心力に抵抗する。エレベータかごが、過速状態とも呼ばれる設定された速度限界に達する、もしくはこの速度限界を超過するときに、ガバナは作動する。過速状態では、ガバナのカプラ、例えば、ばねカプラの力が、質量部に作用する遠心力によって打ち負かされる。２つの質量部が半径方向外側に移動するとともに通常はセンサと係合し、エレベータシステムの安全装置に信号を送信することにより、エレベータかごが減速または停止される。
【発明の概要】
【発明が解決しようとする課題】
【０００４】
従来の遠心ガバナの設計には、いくつかの制限がある。２つのみの片持ち式質量部を備えたガバナ機構には、周方向の非作動空間があり、この非作動空間では、質量部は、ガバナの作動後にセンサと即座に係合せずに、エレベータの安全装置の係合が遅れることがある。かごが過速状態に達してから安全装置が係合してかごが減速または停止するまでの間にエレベータかごの速度が増加する危険が、従来の遠心ガバナ機構の非作動空間によって増大する。従来のガバナ機構の非作動空間が生じさせるエレベータかご速度の増加の危険によって、エレベータかごシステムにいくつかの問題が生じる。例えば、かご速度の増加によって、ガイドレールやエレベータ安全装置の能動的構成要素のようなシステム構成要素が損傷する危険が増大し得る。さらに、かご速度の増加によって、バックアップの安全構成要素が作動し、乗客の救助により時間がかかったり、もしくはこの救助がより複雑になったりすることがある。
【０００５】
したがって、本発明は、従来のガバナにおける１つまたは複数の上記の問題を解決することを目的とする。
【課題を解決するための手段】
【０００６】
本発明は、エレベータガバナアッセンブリに使用される機構を備えており、この機構は、グラウンド軸を中心に回転するように構成されたグラウンドと、このグラウンド軸から半径方向に離間した３つ以上のグラウンドピボット点の１つにおいて回動可能にグラウンドにそれぞれ取り付けられ、かつ周方向にオーバラップしている３つ以上のカムと、複数のリンクピボット点において回動可能に３つ以上のカムを互いに連結するための複数のリンクとを有する。周方向にオーバラップしているカムによって、グラウンド軸を中心とした実質的に連続した円形リングが形成される。グラウンド、カムおよびリンクを相互接続することによって、概ね円形の機構が形成される。
【０００７】
上記の一般的な説明および以下の詳細な説明は、例示および説明のみを目的とするものであり、特許請求されているように本発明を限定するものではないことを理解されたい。
【図面の簡単な説明】
【０００８】
【図１】ガバナを備えたエレベータシステムの斜視図である。
【図２】本発明のガバナの実施例を含むガバナアッセンブリの部分的な図である。
【図３Ａ】図２に示したガバナの斜視図である。
【図３Ｂ】図２に示したガバナの斜視図である。
【図４】図２，図３Ａおよび図３Ｂのガバナの作動状態を示した斜視図である。
【図５】本発明のガバナにおける第２の実施例を示した正面図である。
【図６】図５に示したガバナの背面図である。
【発明を実施するための形態】
【０００９】
同一または同様の構成要素に対して同一または同様の符号を使用するように、図面が構成されている。
【００１０】
図１には、エレベータかご１２、ガイドレール１４およびガバナアッセンブリ１６を備えたエレベータシステム１０が示されている。ガバナアッセンブリ１６は、トリッピングシーブ１８、ガバナ２０、ループ状ロープ２２およびテンションシーブ２４を備える。エレベータかご１２は、昇降路（図示せず）内において、ガイドレール１４上を移動し、あるいはガイドレール１４にスライド可能に接続されている。本実施例では、トリッピングシーブ１８およびガバナ２０は、昇降路の上端部に取り付けられている。ループ状ロープ２２は、トリッピングシーブ１８および（本実施例では昇降路の底部に位置している）テンションシーブ２４の周囲に部分的に巻き付けられている。また、ループ状ロープ２２は、エレベータかご１２に接続されており、これにより、トリッピングシーブ１８の角速度が、エレベータかご１２の速度に確実に対応する。
【００１１】
図１に示されたエレベータシステム１０では、昇降路内におけるエレベータかご１２の移動時に、エレベータかご１２が設定された速度を超過して移動することがガバナアッセンブリ１６によって防止される。図１に示されているガバナアッセンブリ１６は、昇降路の上端部に取り付けられているが、ガバナアッセンブリ１６の位置および配置は、本発明の他の実施例によって異なり得る。例えば、ガバナアッセンブリ１６を、昇降路の底部即ちピットを含む昇降路内のループ状ロープ２２に沿った実質的にどんな箇所にも取り付けることができる。他の実施例では、代替的に、ガバナアッセンブリ１６をエレベータかご１２に取り付けて、かご１２と共に移動させることもできる。このような代替の実施例では、昇降路の上部および底部に固定され、トリッピングシーブ１８と、これに隣接したアイドラシーブと、に部分的に巻き付けられた静的なロープが必要となり得る。
【００１２】
図２には、ガバナアッセンブリ１６の部分図が示されており、該ガバナアッセンブリ１６は、トリッピングシーブ１８（「グラウンド」とも呼ばれる）と、ガバナ２０と、ハウジング２６と、スイッチ２９を有したセンサ２８と、を備える。ガバナ２０は、トリッピングシーブ１８に取り付けられており、該トリッピングシーブ１８は、ハウジング２６に回転可能に取り付けられている。ガバナ２０およびトリッピングシーブ１８は、（図３Ａおよび図３Ｂに示されている）共通の軸３０を中心に回転する。また、センサ２８もハウジング２６に取り付けられている。センサ２８としては、状態変化を示す信号を出力する種々の装置を用いることができ、図２に示されているような機械的に作動される電気スイッチ２９を含み得る。ガバナ２０は、ハウジング２６内のトリッピングシーブ１８と共に回転するが、センサ２８は、ハウジング２６に固定された状態を維持する。以下に説明される条件において、作動時のガバナ２０の１つの機能は、センサ２８と係合することであり、これにより、制御システム（図示せず）にエレベータ制御信号を伝達し、安全回路の直列のリレーを開き、駆動機構への電力供給を遮断し、ブレーキの作動を開始することによって、エレベータかご１２を減速または停止させる。
【００１３】
図３Ａおよび図３Ｂは、図２に示されているガバナ２０の斜視図である。図３Ａおよび図３Ｂにおいて、ガバナ２０は、シーブ回転軸３０を中心に回転する。ガバナ２０は、第１の質量部３２ａ、第２の質量部３２ｂ、第３の質量部３２ｃ（「カム」とも呼ばれる）、第１の質量部支持体３４ａ、第２の質量部支持体３４ｂ、第３の質量部支持体３４ｃ、第１のリンク３６ａ、第２のリンク３６ｂ、第３のリンク３６ｃおよびカプラ３８を備える。第１の質量部３２ａは、第１の質量部支持体３４ａに取り付けられている。第２の質量部３２ｂは、第２の質量部支持体３４ｂに取り付けられている。第３の質量部３２ｃは、第３の質量部支持体３４ｃに取り付けられている。第１の質量部支持体３４ａは、第１の質量部支持体ピボット点４０ａにおいて回動可能にトリッピングシーブ１８に取り付けられている。第２の質量部支持体３４ｂは、第２の質量部支持体ピボット点４０ｂにおいて回動可能にトリッピングシーブ１８に取り付けられている。第３の質量部支持体３４ｃは、第３の質量部支持体ピボット点４０ｃにおいて回動可能にトリッピングシーブ１８に取り付けられている。第１の質量部支持体３４ａは、第１のリンク３６ａによって、第１のリンクピボット点４４ａにおいて回動可能に第２の質量部支持体３４ｂにピン係合されている。第２の質量部支持体３４ｂは、第２のリンク３６ｂによって、第２のリンクピボット点４４ｂにおいて回動可能に第３の質量部支持体３４ｃにピン係合されている。第３の質量部支持体３４ｃは、第３のリンク３６ｃによって、第３のリンクピボット点４４ｃにおいて回動可能に第１の質量部支持体３４ａにピン係合されている。第１の質量部３２ａ、第２の質量部３２ｂおよび第３の質量部３２ｃは、実質的に同じものとし得る。第１の質量部支持体３４ａ、第２の質量部支持体３４ｂおよび第３の質量部支持体３４ｃは、概ね弓形であり、実質的に同じものとし得る。さらに、第１のリンク３６ａ、第２のリンク３６ｂおよび第３のリンク３６ｃも実質的に同じものとし得る。
【００１４】
図３Ａおよび図３Ｂでは、質量部３２ａ，３２ｂ，３２ｃおよび支持体３４ａ，３４ｂ，３４ｃは、シーブ回転軸３０を中心とした連続した円形リングを形成するように、周方向にオーバラップした構成で配置されている。質量部３２ａ，３２ｂ，３２ｃおよび支持体３４ａ，３４ｂ，３４ｃは、ピボット点４０ａ，４０ｂ，４０ｃにおいてシーブに回動可能に取り付けられ、かつリンク３６ａ，３６ｂ，３６ｃによって互いに回動可能に連結されており、これにより、概ね円形の機構４２が形成される。ここで、この円形機構４２の角速度は、トリッピングシーブ１８の角速度と等しい。機構４２の角速度による遠心力によって、質量部３２ａ，３２ｂ，３２ｃおよび支持体３４ａ，３４ｂ，３４ｃは、トリッピングシーブ１８上のピボット点４０ａ，４０ｂ，４０ｃを中心に回動し、シーブ回転軸３０から離間する。
【００１５】
また、ガバナ２０は、質量部支持体３４ｃとトリッピングシーブ１８との間にカプラ３８を備える。カプラ３８は、質量部支持体３４ｃとトリッピングシーブ１８との間に接続をもたらし、この接続は、シーブ１８の回転によって生じる遠心力に抵抗する。シーブ１８が規定範囲内の角速度で回転する場合には、質量部支持体３４ｃは、質量部支持体ピボット点４０ｃを中心に半径方向外側に実質的に移動することはなく、さらに、質量部支持体３４ｃに互いに接続された他の２つの質量部支持体３４ａ，３４ｂも半径方向外側に実質的に移動することはなく、センサ２８と係合せずにシーブ１８と共に回転する。
【００１６】
ガバナ２０は、図４に示されているように、シーブ１８の設定された角速度において、カプラ３８によって生じる連結が打ち負かされたときに作動するように構成することができる。トリッピングシーブの設定されたこのような角速度において、質量部３２ａ，３２ｂ，３２ｃに作用する遠心力がカプラ３８によって生じる力を上回ることにより、質量部３２ａ，３２ｂ，３２ｃおよび質量部支持体３４ａ，３４ｂ，３４ｃは、質量部支持体ピボット点４０ａ，４０ｂ，４０ｃを中心に半径方向外側へ移動し、質量部３２ａ，３２ｂ，３２ｃの１つがスイッチ２９に接触したときに、センサ２８が係合される。
【００１７】
本発明のガバナは、ガバナの作動を制御するために、永久磁石ガバナのように切り離し可能な非弾性カプラを備えることもできる。図５および図６には、代替のガバナ２０’が、このような実施例の一例として示されており、これらの図５および図６は、代替のガバナ２０’の正面図および背面図である。この実施例では、ガバナ２０’は、シーブ回転軸３０を中心に回転する。ガバナ２０’は、第１の質量部３２ａ、第２の質量部３２ｂ、第３の質量部３２ｃ、第１の質量部支持体３４ａ、第２の質量部支持体３４ｂおよび第３の質量部支持体３４ｃを備える。第１の質量部３２ａは、第１の質量部支持体３４ａに取り付けられている。第２の質量部３２ｂは、第２の質量部支持体３４ｂに取り付けられている。第３の質量部３２ｃは、第３の質量部支持体３４ｃに取り付けられている。第１の質量部支持体３４ａは、第１の質量部支持体ピボット点４０ａにおいて回動可能にトリッピングシーブ１８（図示せず）に取り付けられている。第２の質量部支持体３４ｂは、第２の質量部支持体ピボット点４０ｂにおいて回動可能にシーブ１８に取り付けられている。第３の質量部支持体３４ｃは、第３の質量部支持体ピボット点４０ｃにおいて回動可能にシーブ１８に取り付けられている。第１の質量部支持体３４ａは、第１のリンク３６ａによって回動可能に第２の質量部支持体３４ｂにピン係合されている。第２の質量部支持体３４ｂは、第２のリンク３６ｂによって回動可能に第３の質量部支持体３４ｃにピン係合されている。第３の質量部支持体３４ｃは、第３のリンク３６ｃによって回動可能に第１の質量部支持体３４ａにピン係合されている。
【００１８】
また、ガバナ２０’は、質量部支持体３４ａ，３４ｂ，３４ｃの１つとシーブ１８との間に、もしくは、質量部支持体の中の２つの間、例えば、質量部支持体３４ａと質量部支持体３４ｂとの間に、切り離し可能な非弾性カプラ３８’を備える。この実施例では、切り離し可能な非弾性カプラ３８’は、第１のエレメント９０および第２のエレメント９２を備えた永久磁石である。第１のエレメント９０は、第２の質量部支持体３４ｂに取り付けられた永久磁石とすることができる。同様に、第２のエレメント９２は、第１の質量部支持体３４ａに取り付けられた強磁性材料とすることができる。このような実施例では、コネクタ３８’は、第１の質量部支持体３４ａと第２の質量部支持体３４ｂとの間に磁性連結をもたらし、この磁性連結は、シーブ（図示せず）の回転によって生じる遠心力に抵抗する。シーブが規定範囲内の角速度で回転する場合には、質量部支持体３４ａ，３４ｂは磁性連結を維持し、ガバナ２０’は、センサ２８と係合することなくシーブ１８と共に回転する。シーブ１８の設定された角速度において、質量部３２ａ，３２ｂ，３２ｃに作用する遠心力が磁性連結力を上回るので、カプラ３８’によって生じる磁性連結力が打ち負かされてガバナ２０’が作用する。
【００１９】
概ね円形のガバナ機構４２を形成するように、質量部３２ａ，３２ｂ，３２ｃ、支持体３４ａ，３４ｂ，３４ｃ、リンク３６ａ，３６ｂ，３６ｃを互いに接続することによって、質量部支持体３４ａ，３４ｂ，３４ｃの動きが規定される。ここで、質量部支持体３４ａ，３４ｂ，３４ｃは、非作動状態では、シーブ回転軸３０を中心として半径方向に離間して位置しており、作動状態では、質量部支持体３４ａ，３４ｂ，３４ｃの弓状外端部がセンサ２８と係合するまで、概ね円形の外周を実質的に形成するように、角速度の関数として半径方向外側へ移動する。この機構４２は、質量部支持体３４ａ，３４ｂ，３４ｃの外縁部が実質的に連続した円を形成し、上述したような制御された動きをもたらすので、ガバナ２０，２０’が作動したときに、シーブ回転軸３０を中心とした機構４２の角度位置に拘わらず、即座にセンサ２８と係合する。つまり、ガバナ２０，２０’においては、従来のガバナに関連した非作動空間が非常に減少する。
【００２０】
質量部３２ａ，３２ｂ，３２ｃ、支持体３４ａ，３４ｂ，３４ｃ、リンク３６ａ，３６ｂ，３６ｃを、回転軸３０を中心として周方向に繰り返しとなるように配置することによって、部品種類の総数が減少されるので、図２および図５に示されたガバナ２０，２０’の製造コストが減少され得る。また、これらの実施例では、質量部３２ａ，３２ｂ，３２ｃ、支持体３４ａ，３４ｂ，３４ｃ、リンク３６ａ，３６ｂ，３６ｃを相互に交換可能となるように形成することによって、ガバナ２０，２０’のメンテナンスが容易となり得る。
【００２１】
質量部３２ａ，３２ｂ，３２ｃ、支持体３４ａ，３４ｂ，３４ｃ、リンク３６ａ，３６ｂ，３６ｃは、当業者に周知である製造技術を用いて製造され得る。例えば、質量部３２ａ，３２ｂ，３２ｃは、様々な鋳造金属材料やプレス加工された金属薄板材料によって形成され得る。他の例では、質量部支持体３４ａ，３４ｂ，３４ｃおよびリンク３６ａ，３６ｂ，３６ｃは、金属薄板、プラスチック、または金属とプラスチックとを組み合わせたものによって形成され、プレス加工、鋳造または射出成形によって製造され得る。
【００２２】
本発明の実施例によって、従来の遠心作動ガバナの多くの欠点が解消される。本発明のガバナ機構を形成するように、質量部、質量部支持体およびリンクを互いに接続することによって、質量部支持体の動きが規定される。ここで、質量部支持体は、調整可能な概ね円形のリングを形成し、この概ね円形のリングの直径は、質量部支持体の弓状外縁部が安全装置のセンサと係合するまで角速度の関数として増加する。この機構は、質量部支持体の外縁部が実質的に連続した円を形成し、上述したような制御された動きをもたらすので、ガバナが作動したときに、シーブ回転軸を中心とした機構の角度位置に拘わらず、即座にセンサと係合する。つまり、本発明のガバナは、エレベータの安全装置に信号を送信し、エレベータかごを減速または停止させることを遅延させ得る非作動空間を取り除くように構成されている。本発明の遠心ガバナから非作動空間を取り除くことによって、かごが過速状態に達してからエレベータの安全装置が係合してかごが減速または停止するまでの間にエレベータかごの速度が増加する危険が減少する。従来のガバナ機構の非作動空間によるエレベータかご速度の増加の危険を減少させることによって、例えば、システム構成要素の損傷が低減し、エレベータかごシステムの全体の安全が向上する。
【００２３】
上記の説明は、本発明を単に例示することを目的としており、添付の請求項を特定の実施例または特定の実施例の群に限定するものとして解釈されるべきではない。たとえば、本発明のガバナの実施例は、４つ以上の質量部支持体および質量部を備え、これらの質量部支持体および質量部がシーブ回転軸を中心として周方向にオーバラップした構成で配置されるようにしてもよい。したがって、本発明は、本発明における特定の例示的な実施例について特に詳細に説明してきたが、添付の請求項に記載されているような本発明の真の範囲を逸脱することなく、多くの修正および変更が本発明になされ得ることを理解すべきである。
【００２４】
したがって、明細書および図面は、例示的なものであって、添付の請求項の範囲を限定することを意図していない。本発明の上記の開示を考慮することにより、本発明の範囲内において他の実施例が存在し、修正が可能であることを理解するであろう。したがって、本発明の範囲内において本発明の開示から当業者が到達できる修正の全てが、本発明における他の実施例として含まれるべきである。本発明の範囲は、添付の請求項のように定義される。
【図１】
2010523437.tif 000003
【図２】
2010523437.tif 000004
【図３Ａ】
2010523437.tif 000005
【図３Ｂ】
2010523437.tif 000006
【図４】
2010523437.tif 000007
【図５】
2010523437.tif 000008
【図６】
2010523437.tif 000009
【国際調査報告】
2010523437.tif 000010
2010523437.tif 000011